(57)【特許請求の範囲】
【請求項１】
上下動自在にプランジャを配設したハウジングと、複数の接触端子と共通端子を固定したベースからなり、前記プランジャの下方に接触機構を配置した押しボタンスイッチにおいて、弾性部材で受皿状に湾曲形成した梁部の一端を前記共通端子に片持固定した可動接片を配設し、該可動接片の自由端部に連なり前記プランジャにより押圧される第２の自由端部を有する弾性舌片を略１８０度の折返し曲げにより形成するとともに、前記自由端部近傍に可動接点を加締めたことを特徴とする押しボタンスイッチ。
【発明の詳細な説明】
【０００１】
【発明の属する技術分野】
本発明は、電子機器類や汎用機械類及び制御装置等に使用される押しボタンスイッチに関する。
【０００２】
【従来の技術】
従来の押しボタンスイッチのマイクロスイッチ接触機構部は図７に示すように板状の可動接片６７と該可動接片６７を共通端子７８に付勢するためのコイルバネ７９と、さらに可動接片６７を切換えるための作動板８０から構成されている。
【０００３】
【発明が解決しようとする課題】
従来の押しボタンスイッチにおいては、可動接片と作動板をコイルバネを介して共通端子に組付けるという複雑な工程があるため、組立の難しさによる歩留まりの低さや自動化が難しいという生産的な課題と、接触機構部を構成する部品数が多いため部品費が高いというコスト的な課題があった。
【０００４】
【課題を解決するための手段】
本発明は、共通端子に片持固定した弾性部材の可動接片を配設し、しかも前記可動接片の自由端部に連なりプランジャにより押圧される第２の自由端部を有する弾性舌片を設ける。
【０００５】
【発明の実施の形態】
上記のように構成された押しボタンスイッチは組立が極めて容易で、自動化にも最適であり、部品数も少ないことから、安価で量産性に優れた押しボタンスイッチを提供することができる。
【０００６】
【実施例】
以下、本実施例について図面を参照しながら詳細に説明する。
図１は本発明の押しボタンスイッチの第１実施例を表す分解斜視図であり、図２はその非操作時の断面図、図３はボタン１を操作した状態の断面図である。これらの図において、Ｎ／Ｏ接触端子１４がベース２０中央に配設され、Ｎ／Ｃ接触端子１６が前記Ｎ／Ｏ接触端子１４と上下に接点部１７、１５を対向して配設され、さらに共通端子１８がＮ／Ｏ接触端子１４を中心にＮ／Ｃ接触端子１６と左右に対向して配設されている。各端子１４、１６、１８とベース２０は抜け止め構造と圧入嵌合後の接着固定によって強固に固定されている。
【０００７】
ばね用燐青銅など、弾性部材にて形成された可動接片７は共通端子１８と凹凸係合して固定端部８を形成した後、上方に向かって緩やかな円弧状の梁部９を片持ち状態に突出して自由端部１０を形成し、さらに前記自由端部１０から略１８０度の折返し曲げの後、梁部９の上方に滑らかに立ち上りながら弾性舌片１１を形成して第２の自由端部１２を構成している。そしてＮ／Ｃ接触端子１６とＮ／Ｏ接触端子１４の対向接点部１５、１７間を上下に切換往復する可動接点１３が前記可動接片７の自由端部１０に加締められて接触機構部を構成している。可動接点１３は略１８０度の折返し曲げによる可動接片７の弾性力により強固に加締められ、接点のガタつきを防止することで、温度上昇を抑え高容量を得られる。なお、可動接片梁部９は可動接片７の固定端部８に加わる集中応力を緩和するために、僅かに細く形成されている。なお、可動接片７と共通端子１８の固定方法は、加締方式やスポット溶接など他の方法も考えられる。
そしてボタン１を嵌合したプランジャ５を上下自在にハウジング３に配設した後、前記ベース２０をハウジング３下面から凹凸嵌合で嵌合係止して押しボタンスイッチを構成している。
【０００８】
このように構成した押しボタンスイッチは、ボタンが非操作状態にあっては可動接片７の梁部９の曲げ応力によって、可動接点１３とＮ／Ｃ接触端子接点部１７が接触して共通端子１８とＮ／Ｃ接触端子１６間が電気的導通を確保する。そして、ボタン１を押圧操作するとプランジャ５が可動接片７の弾性舌片１１の第２の自由端部１２を押し下げるとともに、可動接片梁部９を下方に弾性変形させて可動接点１３がＮ／Ｃ接触端子１６からＮ／Ｏ接触端子１４へと電路の切換えが行われ、ボタン１の押圧力を解除すると可動接片７が初期の状態に復元するように作用する。
【０００９】
従って、極めて部品数が少ない構成で押しボタンスイッチを安価に提供できるだけでなく、スイッチの切換音の発生が殆どしないため、放送機器等に最適な静かな押しボタンスイッチを得ることができる。
【００１０】
図４は本発明の押しボタンスイッチの第２実施例を表す可動接片３７の外観斜視図であり、図５はその非操作時の断面図、図６はボタンを操作した状態の断面図である。これらの図において、可動接片３７は共通端子４８と一体的形成され、しかも可動接片３７の梁部３９は上方に緩やかに湾曲するとともに全体的に受皿状に絞り加工部５３が形成されている。そして、その他の構成は第１実施例と同様に構成されている。
【００１１】
このように構成した押しボタンスイッチは図５の状態から図６の状態に可動接片３７が切換わる時点で、受皿状の絞り加工部５３が弾性反転して明確な切換え節度感を発生させることができる。
なお、以上の実施例では、操作形態をモーメンタリー形の押しボタンスイッチについて記述したが、ハートカム機構を利用したロック形押しボタンスイッチや照光式押しボタンスイッチ、さらには多極タイプへの応用などが可能である。
【００１２】
【発明の効果】
以上、詳細に説明したように、本発明によれば次のような効果を奏することができる。
（１）押しボタンスイッチの共通端子に片持固定した弾性部材の可動接片を配設し、この可動接片の自由端部に連なり上方からプランジャにより押圧される第２の自由端部を有する弾性舌片を形成したので、従来の押しボタンスイッチにおける、可動接片と作動板をコイルバネを介して共通端子に組付けるという複雑な組立工程を削減するとともに、部品数も削減できるため、安価で量産性に優れた押しボタンスイッチを提供することができる。
（２）押しボタンスイッチの共通端子に片持固定した弾性部材の可動接片を配設し、この可動接片の自由端部に連なり上方からプランジャにより押圧される第２の自由端部を有する弾性舌片を形成したので、スイッチの切換音の発生が殆どしない、放送機器等に最適な静かな押しボタンスイッチを得ることができる。
（３）前記押しボタンスイッチの可動接片の梁部を受皿状に湾曲形成したので、可動接片が切換わる時点で、受皿状の湾曲部が弾性反転して明確な切換え節度感を発生させることができるため、可動接片の違いだけで、切換え特性の異なる２種類の押しボタンスイッチを構成することができ、部品統合による効率的な在庫管理ができる。
【図面の簡単な説明】
【図１】  本発明の押しボタンスイッチの第１実施例を表す分解斜視図である。
【図２】  本発明の押しボタンスイッチの第１実施例の非操作時を表す断面図である。
【図３】  本発明の押しボタンスイッチの第１実施例のボタンを操作した状態を表す断面図である。
【図４】  本発明の押しボタンスイッチの第２実施例の可動接片を表す外観斜視図である。
【図５】  本発明の押しボタンスイッチの第２実施例の非操作時を表す断面図である。
【図６】  本発明の押しボタンスイッチの第２実施例のボタンを操作した状態を表す断面図である。
【図７】  従来の押しボタンスイッチの事例を表す断面図である。
【符号の説明】
１  ボタン
２、４  凹部
３  ハウジング
５  プランジャ
６、２１  凸部
７、３７、６７  可動接片
８、３８  固定端部
９、３９  梁部
１０、４０  自由端部
１１、４１  弾性舌片
１２、４２  第２の自由端部
１３、４３  可動接点
１４  Ｎ／Ｏ接触端子
１５、１７  接点部
１６  Ｎ／Ｃ接触端子
１８、４８、７８  共通端子
１９  抜け止め
２０  ベース
２２  接着剤
５３  絞り加工部
７９  コイルバネ
８０  作動板
【図１】
0003925879.tif 000002
【図２】
0003925879.tif 000003
【図３】
0003925879.tif 000004
【図４】
0003925879.tif 000005
【図５】
0003925879.tif 000006
【図６】
0003925879.tif 000007
【図７】
0003925879.tif 000008